(57)【特許請求の範囲】
【請求項１】
天井、壁、床等の開口部に設置され、天井等内に臨む端部にフレキシブルダクトが嵌め付けられるダクト取付部を有すると共に、下端が外方に延長されて前記開口部の室内側孔縁部に固定されるフランジを有する円筒状の本体と、前記本体の下端部内に嵌合される流量調整板と、前記本体のフランジを覆うようにして前記フランジの外周部に固定される環状キャップとから成り、前記ダクト取付部の少なくとも上半部に、その部分を波形状とすることにより横方向に抜ける通気部が形成され、前記流量調整板は、連通し合う多数の通気孔が穿設された２枚の多孔板を重合して構成され、天井設置時上段の多孔板は前記本体の下端部に回動不可状態に嵌合され、天井設置時下段の多孔板は前記本体の下端部と前記環状キャップとに挟まれて回動可能に支持され、前記下段の多孔板を室内側から回動させることにより、前記上段の多孔板の通気孔と前記下段の多孔板の通気孔との重合面積を変更可能にしたことを特徴とする吸気グリル。
【請求項２】
前記通気部は、高い波形状又はパルス形状に形成される、請求項１に記載の吸気グリル。
【請求項３】
前記上段の多孔板は、その外周縁部に設けた切欠に、前記本体の内周面下端部に設けた突子が嵌入することにより回動不可となる、請求項１又は２に記載の吸気グリル。
【請求項４】
前記下段の多孔板は、規制された角度内において回動可能である、請求項１乃至３のいずれかに記載の吸気グリル。
【請求項５】
前記上段の多孔板と前記下段の多孔板の中心に、互いに連通する圧力測定孔が形成された、請求項１乃至４のいずれかに記載の吸気グリル。
【発明の詳細な説明】
【技術分野】
【０００１】
本発明は吸気グリル、より詳細には、天井、壁、床等に設けた開口部に取り付けられて、当該開口部内に臨む端部に排気用のフレキシブルダクトが嵌め付けられる吸気グリルに関するものである。
【背景技術】
【０００２】
高気密、高断熱化が進む昨今の住宅においては、室内汚染空気の排出のために、所謂２４時間換気システムが採用されることが多くなってきている。このシステムにおいては、排気ファンの作用で、室内の汚染空気が排出されるに伴い、外気が緩やかに導入される。
【０００３】
この排気ファンから延びて、天井裏等を這うフレキシブルダクトの端部を天井等の開口部に固定するために、吸気グリルが設置される。従来の吸気グリルは、吸込み量を調整可能に構成する関係で厚み（高さ）のあるものとなり、特に床に設置した場合に突出して見栄えが悪く、また、邪魔になって使い勝手がよくないという問題があった。
【０００４】
換気システムにおいて、配管ダクトとして施工性の良い伸縮自在なフレキシブルダクトを用いる場合、吸気グリルを天井に取り付けるのが非常に困難である。即ち、吸気グリルを取り付けるためには、フレキシブルダクトの先端に天井板を挟み込むアダプターを取り付ける等して吸気グリルを取り付ける必要があるが、そのために手間がかかり、製品コストも割高となるという問題があり、また、天井板厚によってはこのアダプターの取り付けが制限される場合があるという問題もある。
【０００５】
この吸気グリルは、その軸方向に延びる筒状本体の天井等内に臨む端部に、上記軸方向と直角方向に延びるフレキシブルダクトを嵌め付ける関係上、そこに十分なスペースがないと、フレキシブルダクトの端部接続部は無理に曲げられることになり、その結果、その折曲部分が潰されて本体の上面開口が塞がり、通気性が損なわれるという問題がある。
【０００６】
【特許文献１】特許第３１０８３７９号公報
【特許文献２】特開２００４−５３２２４号公報
【特許文献３】実開平３−７７１２６号公報
【発明の開示】
【発明が解決しようとする課題】
【０００７】
本発明は従来の吸気グリルにおけるこのような問題を解決するためになされたもので、構成簡易で取扱いやすく、通気量の調整が可能なだけでなく、天井裏等の設置部に上下方向に十分なスペースがない場合にも、通気性を落とすことなく設置することができる吸気グリルを提供することを課題とする。
【課題を解決するための手段】
【０００８】
上記課題を解決するための請求項１に記載の発明は、天井、壁、床等の開口部に設置され、天井等内に臨む端部にフレキシブルダクトが嵌め付けられるダクト取付部を有すると共に、下端が外方に延長されて前記開口部の室内側孔縁部に固定されるフランジを有する円筒状の本体と、前記本体の下端部内に嵌合される流量調整板と、前記本体のフランジを覆うようにして前記フランジの外周部に固定される環状キャップとから成り、前記ダクト取付部の少なくとも上半部に、その部分を波形状とすることにより横方向に抜ける通気部が形成され、前記流量調整板は、連通し合う多数の通気孔が穿設された２枚の多孔板を重合して構成され、天井設置時上段の多孔板は前記本体の下端部に回動不可状態に嵌合され、天井設置時下段の多孔板は前記本体の下端部と前記環状キャップとに挟まれて回動可能に支持され、前記下段の多孔板を室内側から回動させることにより、前記上段の多孔板の通気孔と前記下段の多孔板の通気孔との重合面積を変更可能にしたことを特徴とする吸気グリルである。
【０００９】
例えば、前記通気部は、高い波形状又はパルス形状に形成される。
【００１０】
また、好ましくは、前記上段の多孔板は、その外周縁部に設けた切欠に、前記本体の内周面下端部に設けた突子が嵌入することにより回動不可となるようにし、更に、前記上段の多孔板と前記下段の多孔板の中心に、互いに連通する圧力測定孔が形成される。
【発明の効果】
【００１１】
本発明は上記構成であるため、構成簡易で取扱いやすく、通気量の調整は２枚の多孔板を相対的に回転させるだけで簡単に行なうことができるだけでなく、フレキシブルダクトが潰されてもダクト取付部の通気部において通気可能であるので、天井裏等の設置部に上下方向に十分なスペースがない場合にも、通気性を落とすことなく設置することができる効果がある。
【発明を実施するための最良の形態】
【００１２】
本発明を実施するための最良の形態について、図面に依拠して説明する。なお、以下の説明における吸気グリルの上下は、天井に設置される場合における上下であって、床に設置される場合には上下が逆になる。
【００１３】
図１は本発明に係る吸気グリル１の縦断面図、図２はその分解図であり、吸気グリル１は、段付き円筒状の本体２と、本体２の下端部に嵌め付けられる流量調整板３と、流量調整板３を本体２に固定するための環状キャップ４とから成る。
【００１４】
本体２は天井開口２３に装入される部分で、上部が縮径化されてダクト取付部５が形成され、そこに、排気管となるフレキシブルダクト６が嵌め付けられる。ダクト取付部５は、例えば、少なくとも上半部が高い波形状、パルス波形状等にされて、横方向に十分な通気が可能な通気部７が確保される。フレキシブルダクト６は、ダクト取付部５の下部にのみ密着し、通気部７部分からは容易に離れる状態にてダクト取付部５に嵌め付けられる（図１参照）。
【００１５】
また、本体２の下端に、天井開口２３の室内側孔縁部に当接することになるフランジ８が延設され、フランジ８には、複数のネジ穴９が形成される。また、本体２の天井開口２３の内周面に当接することになるフランジ８近接位置に、複数の板バネ取付部１０が形成され、そこに板バネ１０ａが取り付けられる。
【００１６】
更に、本体２の内周面下端部が少し拡径化されて、流量調整板３の受座１１が形成される。また、この本体２の内周面の拡径化部分に、受座１１から下方中途まで延びて、後述する作用を果たす突子１２が形成される。
【００１７】
流量調整板３は、同一形状の多孔板１３、１４を相対的に回動可能に重合して成る。多孔板１３、１４は、互いに連通し合う同一形状の通気孔１５を多数有し、また、その中心に、圧力測定孔１５ａを有する。多孔板１３、１４の外周にはそれぞれ段部１６、１７が形成され、上段となる多孔板１３の段部１６が、本体２の内周面に形成される受座１１に当たることにより、多孔板１３が本体２の内周面下端部に嵌合される。
【００１８】
多孔板１３の段部１６には、上記突子１２に対応する切欠１８が形成され、上記嵌合に際し、突子１２が切欠１８に密に嵌まり込む。かくして、多孔板１３は回動不可状態となる。また、下段の多孔板１４の段部１７には、環状キャップ４に突設される突子２２ａが入り込む所定角度の弧状切欠１８ａが形成され、かくして多孔板１４は、この弧状切欠１８ａの範囲で回動可能となる。
【００１９】
多孔板１４は、その環状段部１７のみが本体２内に収まる。本体２からはみ出る小径部分は、その径が環状キャップ４の開口部２０の内径に対応していて、該小径部分は、環状キャップ４の取り付けに伴って、開口部２０内に収まる。かくして下段の多孔板１４のみ、限定された範囲内で回動可能となる。
【００２０】
環状キャップ４は本体２のフランジ８を完全に覆う大きさで、最外周に浅いスカート部２１を有し、その少し内側に、フランジ８の外周縁に係合、係脱が可能なツメ２２が複数形成される。
【００２１】
本発明に係る吸気グリル１を設置するに当っては、通例、予め本体２に流量調整板３と環状キャップ４を組み付けておき、天井開口２３から排気用のフレキシブルダクト６を引き出し、その端部をダクト取付部５に嵌め付けてテープ止めする。
【００２２】
そして、その状態でフレキシブルダクト６を天井開口２３内に押し戻し、本体２のフランジ８を天井開口２３の孔縁部に当接させ、また、板バネ取付部１０の板バネ１０ａを天井開口２３の内周面に圧接させることにより、本体２を天井に固定する。その際必要に応じ、ネジ穴９にネジをネジ込んでフランジ８を孔縁に固定する。
【００２３】
このようにして設置した状態において、環状キャップ４の開口部２０から流量調整板３の下段の多孔板１４が露出することになるので、これを適宜角度回し、上段の多孔板１３の通気孔１５と下段の多孔板１４の通気孔１５の連通面積を変えることで、流量調整をすることができる。
【００２４】
この流量調整操作に際し、圧力測定孔１５ａにピトー管を差込み、ピトー管にビニルチューブで連結された差圧計を用いて差圧を測ることで流量を測定し、これを吸込み量の調整に活用することができる（予め差圧に応じた流量を測定しておく。）。
【００２５】
本発明に係る吸気グリル１は上記のような構成であって、流量調整のための機構は２枚の多孔板１３、１４で構成されるために全体の厚み（高さ）を薄く（低く）抑えることができ、また、フレキシブルダクト６の引込みスペースが余りなく、フレキシブルダクト６がダクト取付部５付近において無理に曲げられ、本体２の開口部がかなり閉塞されるようなことがあっても、通気部７があるために通気性が阻害されることがない。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明に係る吸気グリルの中央縦断面図である。
【図２】本発明に係る吸気グリルの分解断面図である。
【図３】本発明に係る吸気グリルの本体を示す図である。
【図４】本発明に係る吸気グリルの多孔板を示す図である。
【符号の説明】
【００２８】
１        吸気グリル
２        本体
３        流量調整板
４        環状キャップ
５        ダクト取付部
６        フレキシブルダクト
７        通気部
８        フランジ
９        ネジ穴
１０        板バネ取付部
１０ａ      板バネ
１１        受座
１２        突子
１３、１４  多孔板
１５        通気孔
１５ａ      圧力測定孔
１６、１７  段部
１８        切欠
２０        開口部
２１        スカート部
２２        ツメ
２２ａ      突子
２３        天井開口
【図１】
0004824392.tif 000002
【図２】
0004824392.tif 000003
【図３】
0004824392.tif 000004
【図４】
0004824392.tif 000005